(57)【要約】【課題】大容量でファイルの読み書きが速い非保護記録媒体での利用を可能にしつつ著作権保護を図る。【解決手段】この電子音楽システムでは、汎用装置ＰＣでは読めず、この電子音楽装置ＥＭを含む特定電子音楽装置では読める保護記録媒体４ｂ１に格納された曲データファイルＭｆは、特定電子音楽装置ＥＭでは解読可能な状態で暗号化される（ＥＣ）。暗号化された曲データファイルは、汎用装置ＰＣ及び特定電子音楽装置ＥＭで読める非保護記録媒体４ｂ２にコピーすることができる。保護記録媒体中には、当該音楽データファイルＭｆのコピー情報Ｃｐを含むコピー管理ファイルＣｆが格納されており、このコピー情報Ｃｐが表わすコピー状況に基づいて非保護記録媒体へのコピーが制限される（ＲＦ）。曲データファイルＭｆを非保護記録媒体にコピーをしたときにはコピー情報Ｃｐは更新され（ＵＤ）、非保護記録媒体へのコピー制限機能を確実にする。【選択図】図２
2005071400.tif 000002
【特許請求の範囲】
【請求項１】
この電子音楽装置を含む特定の電子音楽装置でのみ読み取ることができるように保護記録媒体に記録された音楽データファイルを特定の電子音楽装置で解読可能に暗号化する手段と、
暗号化された音楽データファイルを非保護記録媒体にコピーする手段と、
保護記録媒体中に音楽データファイルと共に記録され、該音楽データファイルのコピー状況を表わすコピー情報に基づいて、非保護記録媒体へのコピーを制限する手段とを具備することを特徴とする電子音楽装置。
【請求項２】
さらに、
非保護記録媒体へのコピーに応じて前記コピー情報の内容を更新する手段を具備することを特徴とする請求項１に記載の電子音楽装置。
【請求項３】
特定の電子音楽装置でのみ読み取ることができるように保護記録媒体に記録された音楽データファイルを特定の電子音楽装置で解読可能に暗号化するステップと、
保護記録媒体中に音楽データファイルと共に記録され、該音楽データファイルのコピー状況を表わすコピー情報に基づいて、非保護記録媒体へのコピーを許可するステップと、
非保護記録媒体へのコピー許可に応じて、暗号化された音楽データファイルを非保護記録媒体にコピーするステップとから成る手順を特定の電子音楽装置に実行させる音楽データ処理プログラム。
【発明の詳細な説明】
【０００１】
【発明の属する技術分野】
この発明は、外部記憶媒体に格納された音楽データファイルのコピープロテクトにより著作権保護を図る電子音楽システムに関する。
【０００２】
【従来の技術】
従来より、フレキシブルディスクのような外部記憶媒体に記録されたデータのコピープロテクトについては種々の提案がなされており、電子楽器などの電子音楽装置については、例えば、特許文献１に示されるように、外部記憶媒体から装置に取り込んだデータを同記憶媒体の切離し時に強制的に消去するものがある。
【０００３】
【特許文献１】
特開平６−１９５０６６号公報
【０００４】
また、これとは別の視点から、曲データ集などの音楽データファイルを、パーソナルコンピュータのような汎用装置では読めず、特定の電子音楽装置では読めるファイル形式で、フレキシブルディスク等の特定された外部記憶媒体に格納しておき、特定の電子音楽装置内においてのみ、該記録媒体の音楽データファイルの利用ができるようにしたものがある。このような記録媒体は、汎用装置では読み取ることができない（例えば、「データが壊れている」、「メディアがフォーマットされていない」等の判断がなされてしまう。）ので、当該記録媒体に含まれている音楽データファイルのコピーを取ることができず、著作権保護を図ることができる（以下、この種の記録媒体を「保護記録媒体」という。）。
【０００５】
しかしながら、このように特定の電子音楽装置でしか読めないようにした専用の保護記録媒体は、例えば、フレキシブルディスクであって、データの記憶容量が限られていたり、ファイルの読み書き速度が遅い等の制限がある。そこで、スマートメディア（登録商標）等のように大容量でファイルの読み書きが速い汎用の記録媒体（以下、「非保護記録媒体」という。）に音楽データファイルをコピーして利用することが考えられるが、著作権保護の観点から非保護記録媒体へのコピーは許されない。
【０００６】
【発明が解決しようとする課題】
この発明は、このような事情に鑑み、大容量でファイルの読み書きが速い非保護記録媒体での利用を可能にしつつ著作権保護を図ることができる電子音楽システムを提供することを目的とする。
【０００７】
【課題を解決するための手段】
この発明の主たる特徴に従うと、この電子音楽装置（ＥＭ）を含む特定の電子音楽装置でのみ読み取ることができるように保護記録媒体（４ｂ１）に記録された音楽データファイル（Ｍｆ）を特定の電子音楽装置で解読可能に暗号化する手段（ＥＣ，Ｓ８）と、暗号化された音楽データファイルを非保護記録媒体（４ｂ２）にコピーする手段（Ｓ９）と、保護記録媒体（４ｂ１）中に音楽データファイル（Ｍｆ）と共に記録され、該音楽データファイル（Ｍｆ）のコピー状況を表わすコピー情報（Ｃｐ）に基づいて、非保護記録媒体（４ｂ２）へのコピーを制限する手段（ＲＦ，Ｓ６）とを具備する電子音楽装置〔請求項１〕、並びに、特定の電子音楽装置（ＥＭ）でのみ読み取ることができるように保護記録媒体（４ｂ１）に記録された音楽データファイル（Ｍｆ）を特定の電子音楽装置で解読可能に暗号化するステップ（Ｓ８）と、保護記録媒体（４ｂ１）中に音楽データファイル（Ｍｆ）と共に記録され、該音楽データファイル（Ｍｆ）のコピー状況を表わすコピー情報（Ｍｐ）に基づいて、非保護記録媒体（４ｂ２）へのコピーを許可するステップ（Ｓ６）と、非保護記録媒体（４ｂ２）へのコピー許可（Ｓ６→ＹＥＳ）に応じて、暗号化された音楽データファイルを非保護記録媒体（４ｂ２）にコピーするステップ（Ｓ９）とから成る手順を特定の電子音楽装置に実行させる音楽データ処理プログラム〔請求項３〕が提供される。なお、括弧書きは、実施例において対応する参照記号又は用語を表わし、以下においても同様である。
【０００８】
この発明による電子音楽装置は、さらに、非保護記録媒体（４ｂ２）へのコピーに応じてコピー情報の内容を更新する手段（ＵＤ，Ｓ７）を具備する〔請求項２〕ように構成することができる。
【０００９】
〔発明の作用〕
この発明による電子音楽システムでは、汎用装置では読めず、この電子音楽装置（ＥＭ）を含む特定の電子音楽装置では読める保護記録媒体（４ｂ１）に格納された音楽データファイル（Ｍｆ）を汎用装置及び特定の電子音楽装置で読める非保護記録媒体（４ｂ２）へとコピーする際に、特定の電子音楽装置での解読を可能にした暗号化がなされ、暗号化された音楽データファイルが非保護記録媒体（４ｂ２）にコピーされる。ここで、保護記録媒体（４ｂ１）中には、当該音楽データファイル（Ｍｆ）のコピー状況を表わす情報（Ｃｐ）が含まれており、このコピー情報（Ｃｐ）の内容に基づいて非保護記録媒体（４ｂ２）へのコピーが制限される。
【００１０】
つまり、パーソナルコンピュータのような汎用装置では読めず、特定の電子音楽装置（Ｅｍ）のみで読めるように、フレキシブルディスク等の保護記録媒体（４ｂ１）に特定のファイル形式で音楽データファイル（Ｍｆ）を格納しておき、特定の電子音楽装置でのみ音楽データファイル（Ｍｆ）を利用することができるように、電子音楽装置及びそれに専用の保護記録媒体（４ｂ１）による電子音楽システムが構成される場合、保護記録媒体（４ｂ１）に音楽データファイル（Ｍｆ）のコピー状況を表わすコピー情報（Ｃｐ）を記録しておき、コピー情報（Ｃｐ）を参照して（ＲＦ）許可すべきコピー状況であれば（Ｓ６→ＹＥＳ）、保護記録媒体（４ｂ１）の音楽データファイル（Ｍｆ）を、汎用装置及び特定の電子音楽装置で読めるスマートメディアのような非保護記録媒体（４ｂ２）にコピーすること（Ｓ９）ができるようにする。さらに、非保護記録媒体（４ｂ２）へのコピーに際しては、特定の電子音楽装置においては解読可能な状態で音楽データファイル（Ｍｆ）を暗号化しておく（ＥＣ，Ｓ８）。
【００１１】
近年、電子音楽装置だけでなく汎用装置でも読み書きができる非保護記録媒体が多数流通しており、例えば、スマートメディア等の小型メモリカードのように、大容量かつファイルの読み書きが早い等の利点があるものが多い。この発明では、このような非保護記録媒体（４ｂ２）にコピーされる音楽データファイルを暗号化しておくので、仮にコピーされたとしても、他の装置では利用することができない。また、コピー情報（Ｃｐ）の内容に基づいてコピー制限がなされるので、別の非保護記録媒体（４ｂ２）に無制限に音楽データファイル（Ｍｆ）がコピーされることも防止できる。さらに、このコピー情報（Ｃｐ）は、保護記録媒体（４ｂ１）内に格納されているので、汎用装置を用いてデータを改ざんすることもできない。従って、非保護記録媒体を利用可能にしつつ、著作権保護も図ることができる。
【００１２】
この発明では、さらに、音楽データファイル（Ｍｆ）を非保護記録媒体（４ｂ２）にコピーをしたときには、コピー情報（Ｃｐ）を更新する（ＵＤ，Ｓ７）ように構成することによって、非保護記録媒体（４ｂ２）へのコピー制限を確実に行うことができる。
【００１３】
【発明の実施の形態】
以下、図面を参照しつつこの発明の好適な実施の一形態について説明する。しかしながら、これは単なる一例であって、この発明は、発明の精神を逸脱しない範囲で種々の変更が可能である。
【００１４】
〔システムの概要〕
この発明の一実施例においては、外部記憶媒体に記録されている音楽データファイルを利用し音楽データ処理を行う電子音楽装置として電子楽器が用いられる。図１は、この発明の一実施例による電子音楽システムのハードウエア構成ブロック図を示す。この電子楽器ＥＭは、中央処理装置（ＣＰＵ）１、ランダムアクセスメモリ（ＲＡＭ）２、読出専用メモリ（ＲＯＭ）３、外部記憶装置４、演奏操作検出回路５、設定操作検出回路６、表示回路７、音源回路８、効果回路９、ＭＩＤＩインターフェース（Ｉ／Ｆ）１０、通信インターフェース（Ｉ／Ｆ）１１などを備え、これらの装置１〜１１はバス１２を介して互いに接続される。
【００１５】
ＣＰＵ１は、所定の制御プログラムに従い、タイマ１３によるクロックを利用して、「保護記録媒体処理」と呼ばれる曲データコピー処理を含む種々の音楽データ処理を実行する。ＲＡＭ２は、これらの処理に際して必要な各種データを一時記憶するためのワーク領域として用いられる。また、ＲＯＭ３には、これらの処理を実行するための各種制御プログラムや各種データ、パラメータ等が予め記憶される。
【００１６】
外部記憶装置４は、ハードディスク（ＨＤ）等の内蔵記憶媒体４ａ及びその駆動装置の外に、コンパクトディスク・リード・オンリィ・メモリ（ＣＤ−ＲＯＭ）、フレキシブルディスク（ＦＤ）、光磁気（ＭＯ）ディスク、ディジタル多目的ディスク（ＤＶＤ）、スマートメディア等の小型メモリカード、等々、種々の可搬性の外部記憶媒体４ｂ及びその駆動装置を含む。また、外部記憶媒体４ｂには、後述するように、保護記録媒体４ｂ１及び非保護記録媒体４ｂ２が含まれる。
【００１７】
演奏操作検出回路５は、鍵盤やホイール等の演奏操作子１４の演奏操作内容を検出し、設定操作検出回路６は、数字／カーソルキーやパネルスイッチ等の設定操作子１５の設定操作内容を検出し、それぞれ、検出内容に対応する情報をシステム本体に導入する。表示回路７は、各種画面を表示するディスプレイや各種インジケータ（ランプ）を備え、これらの表示／点灯内容をＣＰＵ１からの指令に従って制御し、各操作子１４，１５の操作に対する表示援助を行う。
【００１８】
音源回路８は、演奏操作子１４からの演奏データや、自動演奏される曲データ（ソングデータ）がシーケンサで処理された楽音データなどに対応する楽音信号を生成し、この楽音信号には、効果付与ＤＳＰを有する効果回路９により、音色を含む所定の効果が各チャンネル毎に付与される。効果回路９に接続されるサウンドシステム１７は、Ｄ／Ａ変換部やアンプ、スピーカを備え、効果が付与された楽音信号に基づく楽音を発生する。
【００１９】
また、ＭＩＤＩＩ／Ｆ１０には他の電子楽器（ＭＩＤＩ機器）ＭＤが接続され、この電子楽器（電子音楽装置）と他の電子楽器ＭＤとの間で、曲データなどの楽曲情報を授受し、この電子音楽装置ＥＭで利用することができる。また、通信Ｉ／Ｆ１１には、インターネットやローカルエリアネットワーク（ＬＡＮ）などの通信ネットワークＣＮが接続され、外部のサーバコンピュータＳＶなどから、制御プログラムや曲データ等の各種情報をダウンロードして外部記憶装置４に保存し、この電子音楽装置ＥＭで利用することができる。
【００２０】
〔音楽データファイルのコピーの可否〕
この発明の一実施例による電子音楽システムにおいては、音楽データファイルを、パーソナルコンピュータ（ＰＣ）のような汎用の情報処理装置（汎用）では読めず、特定の電子音楽装置では読めるファイル形式で所定の記録媒体（「保護記録媒体」という。）に記録しておき、保護記録媒体に記録された音楽データファイルは特定の電子音楽装置でのみ利用可能としている。図２は、この発明の一実施例による電子音楽システムにおける音楽データファイルのコピーの可否を説明するための図である。
【００２１】
ここで、図２を用いてこの電子音楽システムの機能の概要を極く簡単に説明しておく。この電子音楽システムでは、汎用装置ＰＣでは読めず、この電子音楽装置ＥＭを含む特定電子音楽装置では読める保護記録媒体４ｂ１に格納された曲データファイルＭｆは、特定電子音楽装置ＥＭにおいては解読可能な状態で暗号化される（ＥＣ）。そして、暗号化された曲データファイルは、汎用装置ＰＣ及び特定電子音楽装置ＥＭで読める非保護記録媒体４ｂ２にコピーすることができる。また、保護記録媒体４ｂ１中には、当該音楽データファイルＭｆに関するコピー情報（「コピー状況情報」ともいう。）Ｃｐを含むコピー管理ファイルＣｆが格納されており、このコピー情報Ｃｐが表わすコピー状況に基づいて非保護記録媒体４ｂ２へのコピーが制限される（ＲＦ）。さらに、曲データファイルＭｆを非保護記録媒体４ｂ２にコピーをしたときにコピー情報Ｃｐは更新され（ＵＤ）、非保護記録媒体４ｂ２へのコピー制限機能を確実にする。
【００２２】
以下、図２について詳しく説明する。保護記録媒体４ｂ１は、外部記憶装置４における外部記憶媒体４ｂの１つであり、この発明がなされた時点において、曲データ集として既に流通しているもので、例えば、フレキシブルディスクが用いられている。保護記録媒体４ｂ１は、上述のように、曲データファイルＭｆ及びコピー管理ファイルＣｆを、汎用装置では読めないが、本電子音楽装置ＥＭ或いはこれと同様のデータファイル解読機能をもつ特定の電子音楽装置（「特定電子音楽装置」という。）では読めるファイル形式で格納している。
【００２３】
従って、保護記録媒体４ｂ１をＰＣなどの汎用装置の外部記憶媒体駆動装置にかけた場合、図２（ａ）に破線で示すように、汎用装置からは保護記録媒体４ｂ１内の曲データファイルＭｆやコピー管理ファイルＣｆは見えない。それ故、汎用装置では、曲データファイルＭｆをコピーすることもできないし、コピー管理ファイルＣｆを改ざんすることもできない。なお、コピー管理ファイルＣｆは、本本電子音楽装置ＥＭにおいて保護記録媒体上に作成されるのであって、流通時点では含まれていない。
【００２４】
一方、この電子音楽装置ＥＭのような特定電子音楽装置の場合は、図２（ｂ）に示すように、保護記録媒体４ｂ１内の曲データファイルＭｆ及びコピー管理ファイルが見え、データ暗号化手段ＥＣを介して所定の態様で暗号化を施した上、外部記憶媒体４ｂの１つである非保護記録媒体４ｂ２、例えば、スマートメディア等の小型メモリカードに、記憶することができる。この場合、特定電子音楽装置としての機能を有する電子音楽装置ＥＭでは、管理ファイル参照手段ＲＦによりコピー管理ファイルＣｆを参照することで、曲データファイルＭｆのコピーができる。また、コピーする度に、保護記録媒体４ｂ１内のコピー管理ファイルＣｆは管理ファイル更新手段ＵＤにより更新される。なお、特定電子音楽装置ＥＭからは、コピー管理ファイルの改ざんができないようにしておく。
【００２５】
コピー管理ファイルＣｆには、例えば、図２（ｂ）の左下に示すように、曲データファイルＭｆとして当該保護記録媒体４ｂ１内に含まれている複数の曲データファイルＭｆ１〜Ｍｆｎの夫々に対応して、各曲データファイルのコピー状況を表わすコピー情報ＣＰを記録したものである。図示の例では、コピー情報ＣＰの「コピー未」は、対応する曲データファイル（Ｍｆ１，Ｍｆ２等）が未だコピーされたことがなく、スマートメディア等の非保護記録媒体４ｂ２にコピー可能であるという状況を表わす。そして、当該曲データファイルが１回コピーされると、コピー情報ＣＰは「コピー済」となり、２回目以降はコピーできない。コピー情報ＣＰは、例えば、“０”（コピー未）／“１”（コピー済）のコピーフラグで記述される。なお、コピー可能回数は、上述のように１回にせず、２回以上の有限数としてもよい。
【００２６】
〔処理フロー例〕
図３は、この発明の一実施例による音楽データ処理プログラムに基づく保護記録媒体処理（曲データコピー処理）の一例を表わすフローチャートである。この処理フローは、電子音楽装置ＥＭのメイン処理の動作中、所定の設定操作子１５の操作により保護記録媒体４ｂ１にアクセスがあったときに開始する。すなわち、保護記録媒体４ｂ１へのアクセスがあったか否かを検出して（ステップＳ１）、当該アクセスがなければ（Ｓ１→ＮＯ）直ちにこの保護記録媒体処理をスルーしてメイン処理にリターンし、当該アクセスがあれば（Ｓ１→ＹＥＳ）、ステップＳ２以下の本処理フローに入る。なお、以下においては、“Ｓ…”等のステップ参照記号単独で該当ステップを表わす。
【００２７】
さて、保護記録媒体４ｂ１へのアクセスがあったときには（Ｓ１→ＹＥＳ）、次に、アクセスした保護記録媒体４ｂ１にコピー管理ファイルＣｆがあるか否かを判定する（Ｓ２）。ここで、コピー管理ファイルＣｆがなければ（Ｓ２→ＮＯ）、当該記録媒体４ｂ１内に含ませるコピー管理ファイルＣｆを新規に作成し、全ての曲データファイルＭｆ（図２の例では、Ｍｆ１〜Ｍｆｎ）のコピー情報Ｃｐの内容を「コピー未」（コピーフラグ＝“０”）とする（Ｓ３）。
【００２８】
コピー管理ファイルＣｆの新規作成後（Ｓ３）或いはコピー管理ファイルＣｆがあると判断されたときは（Ｓ２→ＹＥＳ）、アクセスした保護記録媒体４ｂ１に格納されている曲データファイルＭｆのリストをディスプレイ１６上に表示し、ユーザに所望の曲データファイルの選択乃至コピーを打診する（Ｓ４）。そして、ユーザ操作に基づいて、表示された曲データリストから曲データファイルが選択され、選択された曲データファイルを非保護記録媒体４ｂ２にコピーする旨の指示があったか否かを判断する（Ｓ５）。
【００２９】
ここで、ユーザ操作により選択された曲データファイルを非保護記録媒体４ｂ２にコピーすると判断したときは（Ｓ５→ＹＥＳ）、管理ファイル参照手段ＲＦにより、コピー管理ファイルＣｆにおいて当該曲データファイルのコピー情報Ｃｐの内容が「コピー未」（“０”）であるか否かを判定する（Ｓ６）。そして、コピー情報Ｃｐ＝「コピー未」であることが分かると（Ｓ６→ＹＥＳ）、非保護記録媒体へのコピー実行処理（Ｓ７〜Ｓ９）に進む。
【００３０】
非保護記録媒体へのコピー実行処理では、まず、管理ファイル更新手段ＵＤにより、保護記録媒体４ｂ１のコピー管理ファイルＣｆについて当該曲データファイルのコピー情報Ｃｐの内容を「コピー済」（コピーフラグ＝“１”）に更新し（Ｓ７）、次いで、データ暗号化手段ＥＣによって、非保護記録媒体４ｂ２のＩＤ或いは電子音楽装置のＩＤで当該曲データファイルを暗号化する（Ｓ８）。そして、暗号化された曲データファイルを非保護記録媒体４ｂ２にコピーする処理を行い（Ｓ９）、その後、メイン処理にリターンする。
【００３１】
一方、ユーザによる曲データファイルの選択操作がなかったとき、或いは、ユーザ操作により選択された曲データファイルに対して更なるユーザ操作により指示された処理が非保護記録媒体４ｂ２へのコピーでなかったときは（Ｓ５→ＮＯ）、メイン処理にリターンし、他の処理を行ったり、或いは、当該曲データファイルについて指示に対応する別の処理を行う。また、コピー情報Ｃｐ＝「コピー済」であるときも（Ｓ６→ＮＯ）、メイン処理にリターンし、当該曲データファイルについて別の処理を行うことができる。
【００３２】
なお、メイン処理にリターンした後、選択された曲データファイルを利用する別の処理では、例えば、当該曲データに基づく楽音を楽音発生部８，９，１７を通じて再生したり、当該曲データの内容（楽譜など）をディスプレイ１６に表示したり、或いは、これを編集（エディット）することができる。
【００３３】
〔種々の実施態様〕
以上、この発明の一実施例について説明したが、種々の変更が可能であり種々の態様で実施することができる。例えば、保護記録媒体（４ｂ１）は、実施例で説明したフレキシブルディスクに限らず、どのような形式の媒体でもよい。また、非保護記録媒体（４ｂ２）もスマートメディア等の小型メモリカードに限らず、どのような形式の媒体でもよい。
【００３４】
汎用装置から保護記録媒体内の曲データファイルやコピー管理ファイルが見えなくなるような仕組みとしては、汎用装置が解釈できないような独自のファイルシステムを採用したりすればよい。また、非保護記録媒体にコピー済みの曲データファイルに関しては、保護記録媒体から曲データリストを表示する際に見えないようにしてアクセスできないようにしたり、曲データリスト上では見えるがアクセスは禁止する等の方法を採ってもよい。
【００３５】
実施例の処理フローにおけるコピー実行ステップ（Ｓ９）により、非保護記録媒体にコピーされた曲データファイルを利用（再生、表示、編集等）する際には、暗号化に使用したＩＤ（鍵）で復号化をしてから利用すればよい。
【００３６】
また、実施例の処理フローの暗号化ステップ（Ｓ８）において、或る非保護記録媒体（「第１非保護記録媒体」とする。）のＩＤで暗号化された場合は、第１非保護記録媒体から更に別の非保護記録媒体（「第２非保護記録媒体」とする。
）に曲データファイルをコピーしても、第２非保護記録媒体では、第１非保護記録媒体ＩＤが分からないため、復号化できず、当該曲データファイルの著作権を保護することができる。ただし、この場合でも、第１非保護記録媒体を他の電子音楽装置に持っていけばその曲データファイルを利用することができる。
【００３７】
さらに、或る電子音楽装置のＩＤで暗号化した場合は、第１非保護記録媒体から第２非保護記録媒体に曲データファイルをコピーすることができ、第２非保護記録媒体にコピーされた曲データファイルを当該電子音楽装置では利用することができるが、別の電子音楽装置に第２非保護記録媒体を持っていっても利用できない。従って、第２非保護記録媒体へのコピーは私的複製の範囲内に限られ、当該曲データの著作権の保護を図ることができる。
【００３８】
電子音楽装置の形態については、実施例のように、電子楽器などの音楽データ処理に特化した形態に限らず、保護記録媒体（４ｂ１）のデータの解読機能を持つアプリケーションソフトウェアをパーソナルコンピュータ（ＰＣ）などの汎用装置に組み込んだ形態のものでもよい。
【００３９】
【発明の効果】
以上説明したように、この発明によれば、汎用装置では読めず、この電子音楽装置を含む特定電子音楽装置では読める保護記録媒体（４ｂ１）に格納された音楽データファイル（Ｍｆ）を、汎用装置及び特定電子音楽装置で読める非保護記録媒体（４ｂ２）に、特定電子音楽装置においては解読可能な状態で暗号化してコピーする。これにより、非保護記録媒体内の音楽データファイルは暗号化されているので、仮にコピーされたとしても他の装置では利用することができない。
【００４０】
また、保護記録媒体中には音楽データファイルのコピー状況情報（Ｃｐ）が含まれており、このコピー状況情報に基づいて音楽データファイルのコピーを制限するようにしているので、非保護記録媒体へと無制限に音楽データファイルがコピーされることを防止することできる。さらに、コピー状況情報は保護記録媒体内に格納されているので、汎用装置を用いてデータを改ざんすることもできない。
【００４１】
さらに、音楽データファイルのコピーをしたときにはコピー状況情報を更新するようにしているで、非保護記録媒体へのコピー制限が確実に行える。以上のように、この発明によれば、スマートメディアのような非保護記録媒体を利用可能にしつつ、著作権保護を図ることができる。
【図面の簡単な説明】
【図１】図１は、この発明の一実施例による電子音楽システムのハードウエア構成ブロック図である。
【図２】図２は、この発明の一実施例による電子音楽システムにおける音楽データファイルのコピーの可否を説明するための図である。
【図３】図３は、この発明の一実施例による音楽データ処理プログラムに基づく保護記録媒体処理の一例を表わすフローチャートである。
【符号の説明】
４  内蔵記憶媒体４ａ及び外部記憶媒体４ｂを含む外部記憶装置、
４ｂ１，４ｂ２  外部記憶媒体４ｂに含まれる保護記録媒体及び非保護記録媒体、
Ｍｆ；Ｍｆ１〜Ｍｆｎ  曲データファイル、
Ｃｐ  コピー管理ファイルＣｆのコピー［状況］情報、
ＥＣ  データ暗号化手段、
ＲＦ  管理ファイル参照手段、
ＵＤ  管理ファイル更新手段。
【図１】
2005071400.tif 000003
【図２】
2005071400.tif 000004
【図３】
2005071400.tif 000005